(57)【要約】【課題】  従来のデジタルカメラでは、使用者は、デジタルカメラの扱い方の履歴に応じた扱い方の丁寧さを容易に確認できなかった。【解決手段】  不揮発性メモリ３３に記憶された、圧力センサ３２によって検出されたカメラボディ２に加わる圧力が第１の閾値、および第１の閾値よりも大きい第２の閾値を越えていると判定された回数に基づいて、ＣＰＵ２１は、使用者のデジタルカメラ１に対する扱い方を画像表示装置５に表示する。このため、使用者は、画像表示装置５に表示された扱い方から、普段、デジタルカメラ１を荒く使用しているのか、普通に使用しているのか、或は丁寧に使用しているのかが解る。従って、デジタルカメラ１を荒く使用していた使用者などは、デジタルカメラ１を丁寧に使用するように心掛けることができる。【選択図】  図２
2010283422.tif 000002
【特許請求の範囲】
【請求項１】
外部からの圧力を検出する圧力検出部と、
前記圧力検出部によって検出された検出圧力が所定の第１の閾値を越えているか否かを判定する圧力判定部と、
前記圧力判定部によって前記検出圧力が前記第１の閾値を越えていると判定された回数を記憶する記憶部と、
少なくとも前記記憶部に記憶された回数に基づいて使用者の携帯電子機器に対する扱い方を表示する表示部と
を備えたことを特徴とする携帯電子機器。
【請求項２】
請求項１に記載の携帯電子機器において、
使用者によって操作される操作部を備え、
前記圧力判定部によって前記検出圧力が前記第１の閾値を越えていると判定された場合に、前記操作部の操作を無効にする制御を行う制御部を備えていることを特徴とする携帯電子機器。
【請求項３】
請求項１または請求項２に記載の携帯電子機器において、
前記第１の閾値の値を使用者が手動で設定する設定部を備えたことを特徴とする携帯電子機器。
【請求項４】
請求項１から請求項３のいずれか１項に記載の携帯電子機器において、
使用者に対して警告する警告部を備え、
前記圧力判定部は、前記検出圧力が前記第１の閾値よりも大きな第２の閾値を越えているか否かを判定し、
前記警告部は、前記圧力判定部によって前記検出圧力が前記第２の閾値を越えていると判定された場合に使用者に対して警告することを特徴とする携帯電子機器。
【請求項５】
請求項４に記載の携帯電子機器において、
前記記憶部は、前記圧力判定部によって前記検出圧力が前記第２の閾値を越えていると判定された回数を記憶し、
前記表示部は、前記圧力判定部によって前記検出圧力が前記第１の閾値を越えていると判定された回数および前記第２の閾値を越えていると判定された回数に基づいて使用者の携帯電子機器の扱い方を表示することを特徴とする携帯電子機器。
【請求項６】
請求項４または請求項５に記載の携帯電子機器において、
前記警告部は音を出力して警告することを特徴とする携帯電子機器。
【請求項７】
請求項１から請求項６のいずれか１項に記載の携帯電子機器において、
前記記憶部に記憶された回数に基づいて使用者の携帯電子機器に対する扱い方の荒さを判定する荒さ判定部を備え、
前記表示部は、前記荒さ判定部で判定された結果を指標で表示することを特徴とする携帯電子機器。
【請求項８】
請求項１から請求項７のいずれか１項に記載の携帯電子機器において、
前記記憶部に記憶された回数に基づいて使用者の携帯電子機器に対する扱い方の荒さを判定する荒さ判定部を備え、
前記表示部は、前記荒さ判定部で判定された結果を時間の経過に応じて時系列で表示することを特徴とする携帯電子機器。
【請求項９】
請求項１から請求項８のいずれか１項に記載の携帯電子機器において、
前記携帯電子機器はカメラであることを特徴とする携帯電子機器。
【発明の詳細な説明】
【技術分野】
【０００１】
本発明は、外部からの圧力を検出する圧力検出部を備えた携帯電子機器に関するものである。
【背景技術】
【０００２】
従来この種の携帯電子機器としては、例えば、特許文献１に開示されたデジタルカメラがある。このデジタルカメラには、カメラボディに加わる水圧を検出する圧力センサが表示窓の内面側に備えられている。圧力センサで検出された値が使用限界圧力近傍の閾値以上であると判定されると、現在デジタルカメラが使用されている水深が深過ぎることを液晶ディスプレイに表示して警告し、その後、閾値を上昇させる。この閾値を上昇させた回数が所定回数のｎ回以上になると、デジタルカメラの電源がＯＦＦにされ、撮影動作が強制終了される。
【先行技術文献】
【特許文献】
【０００３】
【特許文献１】特開２００６−１２９０１１号公報
【発明の概要】
【発明が解決しようとする課題】
【０００４】
しかしながら、上記従来のデジタルカメラは、現在デジタルカメラが使用されている水深が深過ぎることを液晶ディスプレイに表示して警告するものである。このため、使用者は、デジタルカメラの扱い方の履歴に応じた扱い方の丁寧さを容易に確認できなかった。
【課題を解決するための手段】
【０００５】
本発明は、このような課題を解決するためになされたもので、
外部からの圧力を検出する圧力検出部と、
圧力検出部によって検出された検出圧力が所定の第１の閾値を越えているか否かを判定する圧力判定部と、
圧力判定部によって検出圧力が第１の閾値を越えていると判定された回数を記憶する記憶部と、
少なくとも記憶部に記憶された回数に基づいて使用者の携帯電子機器に対する扱い方を表示する表示部とを備えて、携帯電子機器を構成した。
【０００６】
また、本発明は、使用者によって操作される操作部を備え、
圧力判定部によって検出圧力が第１の閾値を越えていると判定された場合に、操作部の操作を無効にする制御を行う制御部を備えていることを特徴とする。
【０００７】
また、本発明は、第１の閾値の値を使用者が手動で設定する設定部を備えたことを特徴とする。
【０００８】
また、本発明は、使用者に対して警告する警告部を備え、
圧力判定部が、検出圧力が第１の閾値よりも大きな第２の閾値を越えているか否かを判定し、
警告部が、圧力判定部によって検出圧力が第２の閾値を越えていると判定された場合に使用者に対して警告することを特徴とする。
【０００９】
また、本発明は、記憶部が、圧力判定部によって検出圧力が第２の閾値を越えていると判定された回数を記憶し、
表示部が、圧力判定部によって検出圧力が第１の閾値を越えていると判定された回数および第２の閾値を越えていると判定された回数に基づいて使用者の携帯電子機器の扱い方を表示することを特徴とする。
【００１０】
また、本発明は、警告部が音を出力して警告することを特徴とする。
【００１１】
また、本発明は、記憶部に記憶された回数に基づいて使用者の携帯電子機器に対する扱い方の荒さを判定する荒さ判定部を備え、
表示部が、荒さ判定部で判定された結果を指標で表示することを特徴とする。
【００１２】
また、本発明は、記憶部に記憶された回数に基づいて使用者の携帯電子機器に対する扱い方の荒さを判定する荒さ判定部を備え、
表示部が、荒さ判定部で判定された結果を時間の経過に応じて時系列で表示することを特徴とする。
【発明の効果】
【００１３】
本発明によれば、上記のように、使用者は、表示部に表示された扱い方から、普段、携帯電子機器を荒く使用しているのか、普通に使用しているのか、或は丁寧に使用しているのかが解る。従って、携帯電子機器を荒く使用していた使用者などは、携帯電子機器を丁寧に使用するように心掛けることができる。
【図面の簡単な説明】
【００１４】
【図１】本発明の一実施形態によるデジタルカメラの外観を示す背面斜視図である。
【図２】図１に示すデジタルカメラの電気回路構成を示すブロック図である。
【図３】図１に示すデジタルカメラのＣＰＵによる圧力検出処理を示すフローチャートである。
【図４】図３に示すフローチャートにおけるＳ３の電源ＯＮ状態のＣＰＵによる圧力検出処理を示すフローチャートである。
【図５】図３および図４に示す圧力検出処理によって不揮発性メモリに保存されたカウント値に基づき、ＣＰＵによって画像表示装置に表示される使用者のデジタルカメラに対する扱い方を示す図であり、（ａ）は、扱い方レベルを指標で表示した図であり、（ｂ）は、扱い方レベルを時間の経過に応じて時系列で表示した図である。
【図６】図１に示すデジタルカメラにおける電気回路構成の変形例を示したブロック図である。
【発明を実施するための形態】
【００１５】
次に、本発明による携帯電子機器をデジタルカメラに適用した場合における、本発明を実施するための一形態について説明する。
【００１６】
図１は、本発明の一実施形態によるデジタルカメラ１の外観を示す背面斜視図である。
【００１７】
デジタルカメラ１は、カメラボディ２の上面に、デジタルカメラ１の電源のＯＮ／ＯＦＦを操作する電源ボタン３が設けられ、その左隣に撮影用のシャッターボタン４が設けられている。
【００１８】
また、デジタルカメラ１の背面には、ＴＦＴ（Thin Film Transistor）液晶からなる画像表示装置５が備えられている。この画像表示装置５には、構図をとるための被写体像のスルー画や、撮影した画像の再生画、各種の設定を行うためのメニュー画面等が表示される。画像表示装置５の右隣には、撮影する被写体像の拡大・縮小表示を行うズームボタン６，７、メニュー画面におけるメニュー項目の選択操作などを行うマルチセレクター８、画像表示装置５にメニュー画面を表示させるメニューボタン９、および撮影した画像を再生する再生ボタン１０が設けられている。マルチセレクター８は、方向キー８ａと決定ボタン８ｂとから構成されている。方向キー８ａは、上下左右方向が押下操作されることによって、画像表示装置５に表示されたメニュー画面において使用者が設定したい項目を選択する。決定ボタン８ｂは、使用者が方向キー８ａを操作して選択した項目を決定する際に、押下操作される。電源ボタン３、シャッターボタン４、ズームボタン６，７、マルチセレクター８、メニューボタン９、および再生ボタン１０は、使用者によって操作される操作部を構成している。また、メニューボタン９および再生ボタン１０の下部の斜線部１１には、周囲の音を録音するマイクおよび出音するスピーカが設けられている。
【００１９】
図２は、図１に示すデジタルカメラ１の電気回路構成を示すブロック図である。
【００２０】
デジタルカメラ１は、ＣＰＵ（Central Processing Unit）２１を備えている。このＣＰＵ２１は、不揮発性メモリであるＲＯＭ（Read Only Memory）２２に格納されている制御プログラムに従い、バッファメモリであるＲＡＭ（Random Access Memory）２３を一時記憶作業領域として、デジタルカメラ１内部の各回路について種々の制御処理を行う。ＣＰＵ２１には、バッテリ３４が接続されており、デジタルカメラ１が起動していない電源ボタン３がＯＦＦの状態でも、ＣＰＵ２１はバッテリ３４から電力供給を受けて動作し続ける。
【００２１】
撮影レンズ２４によってカメラ内部に導かれた被写体光は、撮像素子を構成するＣＣＤ（Charge Coupled Device）２５の受光面に入射する。なお、撮像素子はＣＣＤ２５を用いずにＣＭＯＳ（Complementary Metal Oxide Semiconductor）などを用いてもよい。ＣＣＤ２５は、ＴＧ（Timing Generator）２６によって生成されるタイミングに従い、Ｖ−ｄｒｉｖｅｒ２７によって制御され、受光面に入射する被写体光を電荷として蓄積して、被写体像を撮像する。ＣＣＤ２５に被写体像が撮像される際、ＣＰＵ２１は、モータドライバ２８を作動させ、オートフォーカス（ＡＦ）機能を働かせる。モータドライバ２８は、例えば、ＣＣＤ２５の受光面上に投影される被写体像のコントラストが最も高くなるように撮影レンズ２４の位置を移動させ、焦点を自動調整する。
【００２２】
ＣＣＤ２５の受光面に結像した被写体像はアナログの撮像信号に変換され、この撮像信号はＴＧ２６によって生成されるタイミングに従ってＡＦＥ（Analog Front End）２９に入力される。ＡＦＥ２９は、ＣＣＤ２５が出力したアナログの撮像信号の雑音を除去し、その信号を増幅してデジタルの撮像信号に変換する。ＴＧ２６、Ｖ−ｄｒｉｖｅｒ２７、およびＡＦＥ２９は、ＣＣＤ２５を駆動させる撮像素子駆動部３０を構成している。
【００２３】
ＡＦＥ２９によって変換されたデジタルの撮像信号は、ＴＧ２６によって生成されるタイミングに従ってＣＰＵ２１に入力される。ＣＰＵ２１は、入力した撮像信号に対してホワイトバランス処理やガンマ補正などの画像処理を行って現像画像データを生成する。そして、現像画像データを所定の比率で圧縮する圧縮処理を行い、ＪＰＥＧ（Joint Photographic Experts Group）やＴＩＦＦ（Tagged Image File Format）等の圧縮画像データを生成する。また、現像画像が動画像の場合には、ＪＰＥＧに準じた画像の圧縮，フレーム間予測，動き補償等のアルゴリズムを組合せた圧縮処理を行い、ＭＰＥＧ（Motion Picture Experts Group）等の圧縮画像データを生成する。
【００２４】
圧縮処理された画像データは、ＲＡＭ２３に一時的に格納される。その後、ＲＡＭ２３から出力されて、画像表示装置５に画像として表示されると共に、記録Ｉ/Ｆ３５を介してメモリカード３６に記録される。記録Ｉ/Ｆ３５は、メモリカード３６にデータを書き込む際の書き込み制御、およびメモリカード３６に記録されたデータを読み出す際の読み出し制御を行う。メモリカード３６は、カメラ本体に設けられたカードスロットに着脱可能な不揮発性メモリからなるカード状の記憶媒体である。
【００２５】
また、ＣＰＵ２１には、センサドライバ３１を介して歪ゲージからなる圧力センサ３２が接続されている。圧力センサ３２は、直方体状をしたカメラボディ２の６つの各内面に１個ずつ設けられ、カメラボディ２の各面に加わる外部からの圧力を検出する圧力検出部を構成している。これらの圧力センサ３２が検出した検出圧力は、センサドライバ３１を介してＣＰＵ２１へ入力される。ＣＰＵ２１は、圧力判定部を構成しており、圧力センサ３２から検出圧力が入力されると、電気的にデータが書き換え可能な不揮発性メモリ３３に記憶されている所定の第１の閾値を参照し、検出圧力が第１の閾値を越えているか否かを判定する。第１の閾値は、デジタルカメラ１に加えても破損には至らない許容された圧力範囲内で、設定される。また、ＣＰＵ２１は、制御部も構成しており、圧力判定部によって検出圧力が第１の閾値を越えていると判定された場合に、電源ボタン３やシャッターボタン４等の操作部の操作を無効にする制御を行う。
【００２６】
また、上記圧力判定部は、圧力センサ３２によって検出された検出圧力が第１の閾値よりも大きな、デジタルカメラ１が耐えうる最大閾値に近い、不揮発性メモリ３３に記憶されている所定の第２の閾値を越えているか否かも判定する。圧力判定部によって検出圧力が第２の閾値を越えていると判定された場合、ＣＰＵ２１は、スピーカから音を出力して使用者に対して警告する。ＣＰＵ２１およびスピーカは、使用者に対して音を出力して警告する警告部を構成している。
【００２７】
また、ＣＰＵ２１には、記憶部を構成している上述の不揮発性メモリ３３が接続されている。この不揮発性メモリ３３には、圧力判定部によって検出圧力が第１の閾値を越えていると判定された回数、および第２の閾値を越えていると判定された回数が記憶される。また、ＣＰＵ２１は、荒さ判定部も構成しており、不揮発性メモリ３３に記憶された検出圧力が圧力判定部によって第１の閾値を越えていると判定された回数および第２の閾値を越えていると判定された回数に基づいて、使用者のデジタルカメラ１に対する扱い方の荒さを判定する。この荒さ判定部で判定された結果は、使用者のデジタルカメラ１に対する扱い方として、画像表示装置５に、後述する指標で、または時間の経過に応じた時系列で、表示される。画像表示装置５は、不揮発性メモリ３３に記憶された、少なくとも、圧力判定部によって検出圧力が第１の閾値を越えていると判定された回数に基づいて、使用者のデジタルカメラ１に対する扱い方を表示する表示部を構成している。本実施形態では、画像表示装置５は、不揮発性メモリ３３に記憶された、圧力判定部によって検出圧力が第１の閾値を越えていると判定された回数、および第２の閾値を越えていると判定された回数に基づいて、荒さ判定部で判定された結果を指標または時間の経過に応じた時系列で表示する。
【００２８】
また、使用者がメニューボタン９を操作して画像表示装置５にメニュー画面を表示させ、第１の閾値の値を設定する項目を選択し、方向キー８ａと決定ボタン８ｂを操作することにより、ＣＰＵ２１は、デジタルカメラ１の出荷時に予め設定されていた第１の閾値の値を、デジタルカメラ１に加えても破損には至らない許容された圧力範囲内で、任意の値に設定する。ＣＰＵ２１、マルチセレクタ８、およびメニューボタン９は、第１の閾値の値を使用者が手動で設定する設定部を構成している。
【００２９】
次に、図３および図４に示すフローチャートを参照して、ＣＰＵ２１の制御動作について説明する。
【００３０】
図３は、図１に示すデジタルカメラ１のＣＰＵ２１による圧力検出処理を示すフローチャートである。
【００３１】
ＣＰＵ２１に各圧力センサ３２からの検出圧力が入力される（図３，Ｓ１）。次に、ＣＰＵ２１は、電源ボタン３が操作されていなくてデジタルカメラ１の電源がＯＦＦの状態であるか否かを、判定する（Ｓ２）。電源ボタン３が操作されていてデジタルカメラ１の電源がＯＮの状態であり、Ｓ２の判定が“Ｎｏ”であった場合、ＣＰＵ２１は、図４で後述する電源ＯＮ状態における圧力検出処理を行う（Ｓ３）。
【００３２】
一方、電源ボタン３が操作されていなくてＳ２の判定が“Ｙｅｓ”であった場合、ＣＰＵ２１は、デジタルカメラ１が収納ケースに収納されているか否かを判定する（Ｓ４）。この判定処理では、６箇所に設けられた各圧力センサ３２で検出された検出圧力がほぼ一定で均一であった場合に、ＣＰＵ２１は、デジタルカメラ１が収納ケースに収納されていると判定する。デジタルカメラ１が収納ケースに収納されていて、Ｓ４の判定が“Ｙｅｓ”であった場合、ＣＰＵ２１は、デジタルカメラ１が収納ケースに収納された状態で、電源ボタン３や再生ボタン１０が押下されてデジタルカメラ１が起動しないように、電源ボタン３や再生ボタン１０の操作を無効にする制御を行う（Ｓ５）。次に、ＣＰＵ２１は、各圧力センサ３２で検出された検出圧力と、デジタルカメラ１が耐えうる最大閾値に近い第２の閾値とを比較し、検出圧力が第２の閾値よりも大きいか否かを判定する（Ｓ６）。検出圧力が第２の閾値よりも大きくて、このＳ６の判定が“Ｙｅｓ”であった場合、ＣＰＵ２１は、スピーカから警告音を出力し（Ｓ７）、不揮発性メモリ３３の所定領域に設けられた警告カウンタにカウント値１を加算する（Ｓ８）。
【００３３】
また、デジタルカメラ１が収納ケースに収納されていなくて、Ｓ４の判定が“Ｎｏ”であった場合、ＣＰＵ２１は、６箇所に設けられた圧力センサ３２のうち、１つ以上の圧力センサ３２で第１の閾値以上の圧力が検出されたか否かを判定する（Ｓ１０）。１つ以上の圧力センサ３２で第１の閾値以上の圧力が検出され、このＳ１０の判定が“Ｙｅｓ”であった場合、ＣＰＵ２１は、不揮発性メモリ３３の所定領域に設けられた荒さカウンタにカウント値１を加算する（Ｓ１１）。その後、ＣＰＵ２１は、デジタルカメラ１が故障する虞がある状況にあると判定し、上述したＳ５〜Ｓ８の処理を行う。一方、１つ以上の圧力センサ３２で第１の閾値以上の圧力が検出されておらず、Ｓ１０の判定が“Ｎｏ”であった場合、ＣＰＵ２１は、デジタルカメラ１が収納ケースから出された状態で、かつ、デジタルカメラ１が故障する虞がある状況ではないと判定し、電源ボタン３や再生ボタン１０が押下操作された際に、デジタルカメラ１が起動するように、電源ボタン３や再生ボタン１０の操作を有効にする制御を行う（Ｓ１２）。
【００３４】
検出圧力が第２の閾値よりも大きくなくてＳ６の判定が“Ｎｏ”であった場合、または、Ｓ８もしくはＳ１２の処理終了後、ＣＰＵ２１は、各圧力センサ３２で検出された検出圧力値と、これらの圧力値を検出した各圧力センサ３２の位置とを不揮発性メモリ３３に保存する（Ｓ９）。その後、ＣＰＵ２１は、Ｓ３またはＳ９の処理を終えると、圧力検出処理を終了する。
【００３５】
図４は、図３に示すフローチャートにおけるＳ３の電源ＯＮ状態のＣＰＵ２１による圧力検出処理を示すフローチャートである。
【００３６】
図３，Ｓ２の処理で、電源ボタン３が操作されていてデジタルカメラ１の電源がＯＮ状態であることが分かると、ＣＰＵ２１は、次に、デジタルカメラ１の電源がＯＮ状態のまま収納ケースに収納されているか否かを判定する（図４，Ｓ２１）。この判定処理では、６箇所に設けられた各圧力センサ３２で検出された検出圧力がほぼ一定で均一の検出圧力であった場合に、ＣＰＵ２１はデジタルカメラ１が収納ケースに収納されていると判定する。デジタルカメラ１が収納ケースに収納されていて、Ｓ２１の判定が“Ｙｅｓ”であった場合、ＣＰＵ２１は、デジタルカメラ１の電源をＯＦＦにする処理を行う（Ｓ２２）。
【００３７】
一方、デジタルカメラ１が収納ケースに収納されておらず、Ｓ２１の判定が“Ｎｏ”であった場合、ＣＰＵ２１は、６箇所に設けられた圧力センサ３２のうち、１つ以上の圧力センサ３２で第１の閾値以上の圧力が検出されたか否かを判定する（Ｓ２３）。１つ以上の圧力センサ３２で第１の閾値以上の圧力が検出され、このＳ２３の判定が“Ｙｅｓ”であった場合、ＣＰＵ２１は、不揮発性メモリ３３の所定領域に設けられた荒さカウンタにカウント値１を加算する（Ｓ２４）。続いて、ＣＰＵ２１は、使い方が荒い状態でデジタルカメラ１が使用されないように、デジタルカメラ１の電源をＯＦＦにする処理を行う（Ｓ２５）。一方、１つ以上の圧力センサ３２で第１の閾値以上の圧力が検出されず、Ｓ２３の判定が“Ｎｏ”であった場合、または、Ｓ２５の処理終了後、ＣＰＵ２１は、各圧力センサ３２で検出された検出圧力値と、これらの圧力値を検出した各圧力センサ３２の位置とを不揮発性メモリ３３に保存する（Ｓ２６）。
【００３８】
ＣＰＵ２１は、Ｓ２２またはＳ２６の処理を終えると、デジタルカメラ１の電源ＯＮ状態におけるＣＰＵ２１による圧力検出処理を終了する。
【００３９】
図５は、上述した圧力検出処理によって不揮発性メモリ３３に保存されたカウント値に基づき、ＣＰＵ２１によって画像表示装置５に表示される使用者のデジタルカメラ１に対する扱い方を示す図であり、（ａ）は、扱い方レベルを指標で表示した図であり、（ｂ）は、扱い方レベルを時間の経過に応じて時系列で表示した図である。
【００４０】
同図（ａ）では、被写体４１が表示された画像表示装置５の左上部に、星印４２が指標として５つ表示されている。これらの５つの星印４２は、使用者のデジタルカメラ１の扱い方レベルを５段階で示している。図３のＳ８，Ｓ１１、および図４のＳ２４で不揮発性メモリ３３に記憶された第１および第２の閾値を越えた回数、すなわち、荒さカウンタ値と、警告カウンタ値を２倍した値との総和に基づいて、デジタルカメラ１の扱い方が評価され、累積された荒さカウンタおよび警告カウンタのカウント値が少ないほど、黒塗りの星印４２ａ〜４２ｄの表示数が多くなり、使用者がデジタルカメラ１を丁寧に扱っていることが表示される。また、荒さカウンタおよび警告カウンタのカウント値が多いほど、白塗りの星印４２ｅの表示数が多くなり、使用者がデジタルカメラ１を荒く扱っていることが表示される。
【００４１】
また、メニュー画面での設定により、または図示しない専用ボタンが押下されると、同図（ｂ）に示すように、扱い方レベルが、星印４２による指標の表示と共に、時間の経過に応じて時系列で、画像表示装置５にグラフ表示される。同グラフの縦軸は、使用者のデジタルカメラ１の扱い方レベルを表し、横軸は、扱い方レベル表示を行う設定を行った時点からの荒さカウントおよび警告カウント計測期間を表している。同グラフに表示される特性線４３は、計測期間の経過に応じて荒さカウンタおよび警告カウンタのカウント値の増加が少なくなり、使用者のデジタルカメラ１の扱い方レベルが高くなっていることを表している。
【００４２】
このような本実施形態によるデジタルカメラ１によれば、上述したように、不揮発性メモリ３３に記憶された、圧力判定部によって検出圧力が第１の閾値を越えていると判定された回数に基づいて、使用者のデジタルカメラ１に対する扱い方が画像表示装置５に表示される。このため、使用者は、画像表示装置５に表示された扱い方から、普段、デジタルカメラ１を荒く使用しているのか、普通に使用しているのか、或は丁寧に使用しているのかが解る。従って、デジタルカメラ１を荒く使用していた使用者などは、デジタルカメラ１を丁寧に使用するように心掛けることができる。
【００４３】
また、本実施形態によるデジタルカメラ１によれば、圧力判定部によって検出圧力が第１の閾値を越えていると判定された場合、つまり、デジタルカメラ１が故障する虞が有る状況では、制御部によって電源ボタン３や再生ボタン１０といった操作部の操作を無効にする制御（図３，Ｓ５参照）が行われる。このため、デジタルカメラ１が故障する虞が有る状況で、デジタルカメラ１が使用されることを防止することができる。
【００４４】
また、本実施形態によるデジタルカメラ１によれば、使用者は、設定部により第１の閾値の値を任意の値に設定することができる。従って、使用者の性格に応じて、例えば、傷や凹みを気にしない使用者であれば、デジタルカメラ１に加えても破損には至らない許容された圧力範囲内で第１の閾値を大きな値に設定したり、傷や凹みを気にする使用者であれば、上記の許容圧力範囲内で第１の閾値を小さな値に設定することができる。
【００４５】
また、本実施形態によるデジタルカメラ１によれば、不揮発性メモリ３３に記憶された、圧力判定部によって検出圧力が第１の閾値を越えていると判定された回数および第２の閾値を越えていると判定された回数に基づいて、使用者のデジタルカメラ１に対する扱い方が画像表示装置５に表示される。本実施形態では、検出圧力が第１の閾値を越えていると判定されると荒さカウンタのカウント値が＋１されるが、第２の閾値を越えていると判定されると警告カウンタのカウント値が＋１されて、その値が２倍にされる。このため、第２の閾値を越えていると判定された回数、つまり、デジタルカメラ１を極めて荒く使用していると判定された回数から、デジタルカメラ１を極めて荒く使用している使用者に対して、デジタルカメラ１をより丁寧に使用するように促すことができる。
【００４６】
また、本実施形態によるデジタルカメラ１によれば、使用者は、警告部からの警告によって、第１の閾値よりも大きな、例えばデジタルカメラ１が耐えうる最大閾値に近い第２の閾値を越えた検出圧力がデジタルカメラ１に加わったことが分かる。このため、使用者は、デジタルカメラ１を荒く扱っていることを直ちに把握することができ、デジタルカメラ１が故障する可能性を低減させることができる。
【００４７】
また、本実施形態によるデジタルカメラ１によれば、使用者は、スピーカが出力する音から、第２の閾値を越えた検出圧力がデジタルカメラ１に加わったことがわかる。このため、例えば、使用者は、デジタルカメラ１を鞄にしまった状態でも、スピーカが出力する音からデジタルカメラ１に第２の閾値を越えた圧力が加わったことを知ることができ、デジタルカメラ１を丁寧に使用するように心掛けることができる。また、画像表示装置５に警告を単に表示してデジタルカメラ１が故障する可能性を報知する場合と比べて、使用者に警告が伝わり易くなり、デジタルカメラ１が故障する可能性を低減させることができる。
【００４８】
また、本実施形態によるデジタルカメラ１によれば、使用者は、画像表示装置５に表示された指標（図５（ａ）参照）から、使用者自身がデジタルカメラ１を荒く使用しているのか、普通に使用しているのか、或は丁寧に使用しているのかを、感覚的に容易に知ることができる。また、本実施形態によるデジタルカメラ１によれば、荒さ判定部で判定された結果が時系列でグラフ表示されるため（図５（ｂ）参照）、使用者は、時間の経過に応じてデジタルカメラ１の扱い方の上達具合を知ることができる。
【００４９】
なお、上記実施形態では、直方体状をしたカメラボディ２の６つの各内面に圧力センサ３２を１個ずつ設け、カメラボディ２の各面に加わる外部からの圧力を検出して、デジタルカメラ１の扱い方レベルを表示する場合を説明したが、本発明はこれに限られることはない。例えば、図６に示すような構成で実施してもよい。
【００５０】
図６は、上述したデジタルカメラ１における電気回路構成の変形例を示したブロック図である。なお、同図において図２と同一の部分には同一の符号を付してその説明は省略する。
【００５１】
この変形例では、電源ボタン３、シャッターボタン４、ズームボタン６，７、マルチセレクター８、メニューボタン９、および再生ボタン１０などからなる操作部５３に、歪ゲージからなる圧力センサ５２が設けられている。圧力センサ５２は、使用者の操作時に操作部５３に加わる外部からの圧力を検出する。この圧力センサ５２で検出された検出圧力は、センサドライバ５１を介してＣＰＵ２１に入力される。ＣＰＵ２１は、圧力センサ５２で検出された検出圧力を用いて、上記実施形態の圧力センサ３２で検出された検出圧力と同様に第１または第２の所定の閾値と比較して、使用者のデジタルカメラ１に対する扱い方を図５に示すように画像表示装置５に表示する。
【００５２】
このような構成においても、上記実施形態と同様の作用・効果が奏され、デジタルカメラ１を荒く使用していた使用者などは、デジタルカメラ１を丁寧に使用するように心掛けることができる。
【００５３】
また、上記実施形態の図５（ａ）に示した指標は、デジタルカメラ１の設定に応じて画像表示装置５に常時表示させたり、または、専用ボタンが押下された時にだけ画像表示装置５に表示させたりする構成にしてもよい。この構成によれば、使用者の好みに応じて画像表示装置５に指標を表示させることができる。
【００５４】
また、上記実施形態の図５（ｂ）に示したグラフにおける計測期間は、使用者によって荒さカウンタや警告カウンタのカウンタ値がリセット操作された場合、その操作が行われた時点から再開されるように構成してもよい。また、扱い方レベル表示を行う設定が解除されると、計測期間並びに荒さカウンタおよび警告カウンタのカウント値がリセットされるように構成してもよい。これらの構成によれば、使用者が、指標やグラフの表示によってデジタルカメラ１を荒く使用していたことを知った後、デジタルカメラ１を丁寧に扱い直したい場合に仕切り直しを行うことができる。
【産業上の利用可能性】
【００５５】
上記の実施形態においては、本発明による携帯電子機器をデジタルカメラに適用した場合について説明したが、音楽再生や電子遊技などを行う携帯電子機器に、本発明を適用することも可能である。このような携帯電子機器に本発明を適用した場合においても、上記の実施形態と同様の作用効果が奏される。
【符号の説明】
【００５６】
１…デジタルカメラ
２…カメラボディ
３…電源ボタン
４…シャッターボタン
５…画像表示装置
１０…再生ボタン
１１…斜線部
２１…ＣＰＵ
３２，５２…圧力センサ
３３…不揮発性メモリ
５３…操作部
【図１】
2010283422.tif 000003
【図２】
2010283422.tif 000004
【図３】
2010283422.tif 000005
【図４】
2010283422.tif 000006
【図５】
2010283422.tif 000007
【図６】
2010283422.tif 000008